(57)【要約】【課題】  熟練を要せず適正にタッチパネル表面に貼付けることが可能なタッチパネル用保護フィルム積層体を得る。【解決手段】  タッチパネル(12)の表面に貼付けられる保護フィルム(2)を含むタッチパネル用保護フィルム積層体(1)であって、セパレータフィルム(21)、セパレータフィルム上に第１粘着剤層(22)を介して貼付けられた保護フィルム(2)と、保護フィルム(2)の他方表面上に第２粘着剤層(27)を介して貼付けられた補助フィルム(3)より形成され、保護フィルム(2)は一対の対辺である横辺Ａ(31)、横辺Ｂ(32)と、他の一対の対辺である縦辺Ａ(33)と縦辺Ｂ(34)を有し、補助フィルム(3)は、保護フィルム(2)の縦辺Ａ(33)を越えて保護フィルム(2)の外側にはみ出したマージン部(29)と、保護フィルム(2)の縦辺Ｂ(34)を越えて保護フィルム(2)の外側にはみ出した掴み片(30)を有する。【選択図】  図２
2006155452.tif 000002
【特許請求の範囲】
【請求項１】
ディスプレイ上に配置され入力装置として用いられるタッチパネル(12)の表面保護のために貼付けられる保護フィルム(2)を含むタッチパネル用保護フィルム積層体(1)であって、
セパレータフィルム(21)、
前記セパレータフィルム(21)上にその一方の表面が貼付けられた前記保護フィルム(2)と、
前記保護フィルム(2)の他方表面上に貼付けられた可撓性を有する補助フィルム(3)より形成され、
前記保護フィルム(2)は、前記保護フィルム(2)上に形成された貼着再剥離性を有する材料からなる貼着再剥離性層を介して前記セパレータフィルム(21)に貼付けられ、
前記保護フィルム(2)は矩形であり、一対の対辺である横辺Ａ(31)、横辺Ｂ(32)と、他の一対の対辺である縦辺Ａ(33)と縦辺Ｂ(34)を有し、
前記補助フィルム(3)は、前記保護フィルム(2)の前記縦辺Ａ(33)を越えて前記保護フィルム(2)の外側にはみ出した位置決め用のマージン部(29)と、前記保護フィルム(2)の前記縦辺Ｂ(34)を越えて前記保護フィルム(2)の外側にはみ出した掴み片(30)を有し、かつ、
前記保護フィルム(2)の前記横辺Ａ(31)、前記横辺Ｂ(32)は、前記補助フィルム(3)の横辺(18)(19)と上下方向で一致しているタッチパネル用保護フィルム積層体(1)。
【請求項２】
前記マージン部(29)の幅(W1)が、前記縦辺Ａ(33)の幅(W3)よりも短いことを特徴とする請求項１記載のタッチパネル用保護フィルム積層体(1)。
【請求項３】
前記保護フィルム(2)は、基材フィルム(26)の両面にハードコート層(24)(25)が形成されているものである請求項１乃至２いずれか記載のタッチパネル用保護フィルム積層体(1)。
【請求項４】
前記補助フィルム(3)と前記保護フィルム(2)は、前記補助フィルム(3)の下面に形成された第２粘着剤層(27)により前記保護フィルム(2)に貼付けられ、前記保護フィルム(2)の下面に形成された前記貼着再剥離性層は第１粘着剤層(22)である請求項１乃至３いずれか記載のタッチパネル用保護フィルム積層体(1)。
【請求項５】
前記セパレータフィルム(21)と前記保護フィルム(2)間の貼着の初期強度（Ｐ）、前記保護フィルム(2)と前記補助フィルム(3)間の貼着の初期強度（Ｑ）、前記保護フィルム(2)をタッチパネル(12)の表面に貼着した場合の前記保護フィルム(2)と前記タッチパネル表面間の貼着の初期強度（Ｒ）が以下の式（１）を満足する請求項１乃至４いずれか記載のタッチパネル用保護フィルム積層体(1)。
Ｐ＜Ｑ＜Ｒ      （１）
【請求項６】
筐体(41)に形成された直方体形状空間(42)に矩形のタッチパネル(12)の４周辺が嵌め込まれ、かつ、前記直方体形状空間(42)が作る少なくとも１辺の上には前記筐体(41)から延びる庇(47)が形成されており、
前記筐体(41)に前記タッチパネル(12)が実装された装置に、保護フィルム(2)を貼付ける方法であって、以下の工程からなるタッチパネル用保護フィルムの貼付け方法。
イ  請求項１乃至５いずれか記載のタッチパネル用保護フィルム積層体(1)を準備する工程
ロ  前記タッチパネル用保護フィルム積層体(1)からセパレータフィルム(21)を取り除く工程
ハ  前記マージン部(29)を前記庇(47)の下部に挿入し、前記保護フィルム(2)と前記補助フィルム(3)の一体物を前記タッチパネル(12)に位置決めする工程
ニ  前記保護フィルム(2)と前記補助フィルム(3)の一体物を前記タッチパネル(12)の表面に貼付ける工程
ホ  前記保護フィルム(2)と前記補助フィルム(3)の一体物が貼付けられた前記タッチパネル(12)の表面から、前記補助フィルム(3)を取り除く工程
【請求項７】
筐体(41)に形成された直方体形状空間(42)に矩形のタッチパネル(12)の４周辺が嵌め込まれ、かつ、前記直方体形状空間(42)が作る少なくとも１辺の上には前記筐体(41)から延びる庇(47)が形成され、
前記庇(47)の底面と前記タッチパネル(12)表面の間隔(H)が、前記補助フィルム(3)の厚さを越え、かつ、前記補助フィルム(3)と前記保護フィルム(2)の重なり部分の厚さ(D)未満である構造を有する前記タッチパネル(12)が実装された装置に、前記保護フィルム(2)を貼付ける方法であって、以下の工程からなるタッチパネル用保護フィルム(2)の貼付け方法。
イ  請求項１乃至５いずれか記載のタッチパネル用保護フィルム積層体(1)を準備する工程
ロ  前記タッチパネル用保護フィルム積層体(1)からセパレータフィルム(21)を取り除く工程
ハ  前記マージン部(29)を先頭にして、前記保護フィルム(2)と前記補助フィルム(3)の一体物を前記庇(47)の底面と前記タッチパネル(12)表面の間隔部分に入れ、前記庇(47)の底面と前記タッチパネル(12)表面の間隔により前記一体物が停止する位置まで前記一体物を押し入れ、前記一体物を前記筐体(41)に位置決めする工程
ニ  前記保護フィルム(2)と前記補助フィルム(3)の一体物を前記タッチパネル(12)の表面に貼付ける工程
ホ  前記保護フィルム(2)と前記補助フィルム(3)の一体物が貼付けられた前記タッチパネル(12)の表面から、前記補助フィルム(3)を取り除く工程
【請求項８】
筐体(41)に形成された直方体形状空間(42)に矩形のタッチパネル(12)の４周辺が嵌め込まれ、かつ、前記直方体形状空間(42)が作る少なくとも１辺の上には前記筐体(41)から延びる庇(47)が形成され、
前記筐体(41)に前記タッチパネル(12)が実装された装置に、
請求項１乃至５いずれか記載のタッチパネル用保護フィルム積層体(1)からセパレータフィルム(21)を取り除き、
前記マージン部(29)を前記庇(47)の下部に挿入し、前記保護フィルム(2)と前記補助フィルム(3)の一体物を前記タッチパネル(12)に位置決めした状態で、
前記タッチパネル(12)の表面に、前記保護フィルム(2)と前記補助フィルム(3)の一体物が貼付けられたタッチパネル装置。
【請求項９】
筐体(41)に形成された直方体形状空間(42)に矩形のタッチパネル(12)の４周辺が嵌め込まれ、かつ、前記直方体形状空間(42)が作る少なくとも１辺の上には前記筐体(41)から延びる庇(47)が形成され、
前記庇(47)の底面と前記タッチパネル(12)表面の間隔(H)が、前記補助フィルム(3)の厚さを越え、かつ、前記補助フィルム(3)と前記保護フィルム(2)の重なり部分の厚さ(D)未満である構造を有する前記タッチパネル(12)が実装された装置に、
請求項１乃至５いずれか記載のタッチパネル用保護フィルム積層体(1)からセパレータフィルム(21)を取り除き、
前記マージン部(29)を先頭にして、前記保護フィルム(2)と前記補助フィルム(3)の一体物を前記庇(47)の底面と前記タッチパネル(12)表面の間隔部分に入れ、前記庇(47)の底面と前記タッチパネル(12)表面の間隔により前記一体物が停止する位置まで前記一体物を押し入れた状態で、
前記タッチパネル(12)の表面に、前記保護フィルム(2)と前記補助フィルム(3)の一体物が貼付けられたタッチパネル装置。
【発明の詳細な説明】
【技術分野】
【０００１】
本発明は、液晶表示装置などの各種表示装置におけるディスプレイ画面に配置されるタッチパネルの表面に貼付けられるタッチパネル用保護フィルム積層体、タッチパネルへのタッチパネル用保護フィルムの貼付け方法、タッチパネル用保護フィルムが貼付けられたタッチパネル装置に関する。
【背景技術】
【０００２】
タッチパネルとして、片側表面に抵抗膜が形成された２つの基板を、各抵抗膜が対向するようにスペーサを介して積層した抵抗膜式のタッチパネルが広く知られており、表示装置のディスプレイ画面に積層して配置され使用される。このような構成のタッチパネルは、一方の基板上の操作面を指やペンなどで押圧することにより、抵抗膜同士が接触して入力が行われるので、操作面にハードコート層を形成して耐久性を付与することが一般に行われる。
【０００３】
しかし、使用状態等によってはハードコート層を形成しても十分な耐久性が得られないため、従来から、表面保護用の片面粘着フィルムをタッチパネルの表面に剥離可能に貼付けすることが知られている（例えば、特許文献１参照）。
具体的には、片面に粘着剤を塗布したプラスチックフィルムを保護フィルムとし、タッチパネルの表面に、粘着剤を介して保護フィルムが貼付けされている。指やペンなどによる押圧操作や経年変化などに保護フィルムが損傷すると、保護フィルムを剥がして新たなものに取り替えることにより、タッチパネルの操作面を常に良好な状態に維持することができる。
【０００４】
【特許文献１】特開平８−３２９７６７号公報（第１−２頁、第１図）
【発明の開示】
【発明が解決しようとする課題】
【０００５】
タッチパネル用の保護フィルムは、タッチパネルの全領域を覆うように位置を合わせた貼付けが必要である。
ところが従来の保護フィルムはプラスチックフィルムからなる素材の片面に粘着剤が塗設されただけのものであるため、以下の問題点があった。
【０００６】
すなわち、タッチパネルと保護フィルムの位置合わせが難しく、貼付け時に保護フィルムとタッチパネルの領域との位置が合わず、斜めに貼り付いたり保護フィルム端部が筐体と接触した状態に貼り付いたりした。
また、貼付け時にタッチパネル表面と保護フィルムとの間に空気が取り込まれ、気泡が残ることもあった。
さらに、粘着剤を保護している剥離紙を剥がすと、貼付け作業時に、粘着剤に手が触れるなどして、粘着剤が汚れ粘着強度が落ちたり、異物が付着して粘着面に異物を取り込んで貼付けてしまったりすることがあった。
【０００７】
よって、保護フィルムの貼替えには熟練を要するという問題があり、またタッチパネル装着機器を使用するユーザが、自ら保護フィルムの貼り替えを行う場合には、表示面の視認性低下を招き易いという問題があった。
【０００８】
本発明は、このような問題を解決するためになされたものであって、一般のユーザが適正にタッチパネル表面に貼付けることが可能なタッチパネル用保護フィルム積層体を得ることを課題とする。また、本発明は、容易に貼付けることが可能なタッチパネル用保護フィルムの貼付け方法を提供することを課題とする。さらに、本発明は、簡単かつ単純な操作のみで、適正に保護フィルムが貼付けられたタッチパネル装置を得ることが可能な、タッチパネル装置を得ることを課題とする。
【０００９】
本発明のその他の課題は以下の本発明の説明により明らかになる。
【課題を解決するための手段】
【００１０】
上記の課題を解決するため、本発明の一の態様にかかるタッチパネル用保護フィルム積層体(1)は、ディスプレイ上に配置され入力装置として用いられるタッチパネル(12)の表面保護のために貼付けられる保護フィルム(2)を含むタッチパネル用保護フィルム積層体(1)であって、セパレータフィルム(21)、前記セパレータフィルム(21)上にその一方の表面が貼付けられた前記保護フィルム(2)と、前記保護フィルム(2)の他方表面上に貼付けられた可撓性を有する補助フィルム(3)より形成され、前記保護フィルム(2)は、前記保護フィルム(2)上に形成された貼着再剥離性を有する材料からなる貼着再剥離性層(22)を介して前記セパレータフィルム(21)に貼付けられ、前記保護フィルム(2)は矩形であり、一対の対辺である横辺Ａ(31)、横辺Ｂ(32)と、他の一対の対辺である縦辺Ａ(33)と縦辺Ｂ(34)を有し、前記補助フィルム(3)は、前記保護フィルム(2)の前記縦辺Ａ(33)を越えて前記保護フィルム(2)の外側にはみ出した位置決め用のマージン部(29)と、前記保護フィルム(2)の前記縦辺Ｂ(34)を越えて前記保護フィルム(2)の外側にはみ出した掴み片(30)を有し、かつ、前記保護フィルム(2)の前記横辺Ａ(31)、前記横辺Ｂ(32)は、前記補助フィルム(3)の横辺(1 8)(19)と上下方向で一致している。
【００１１】
本タッチパネル用保護フィルム積層体は矩形の保護フィルムに補助フィルムが積層され、補助フィルムは保護フィルムの輪郭線の外に位置するマージン部と掴み片を有する。このタッチパネル用保護フィルム積層体は、タッチパネル表面の有効操作領域の外側であって、当該表面側に側壁、クッション材または庇などの係止部を持つ、筐体に取り付けられたタッチパネル表面に貼付けられる保護フィルムとして用いられる。
【００１２】
本タッチパネル用保護フィルム積層体の使用方法は以下のとおりである。まず、タッチパネル用保護フィルム積層体からセパレータフィルムを取り除く。掴み片を保持して、保護フィルムと補助フィルム積層体のマージン部を取り付け部材（例えば庇取り付け壁）の係止部に位置付ける。次に保護フィルムと補助フィルム積層体をたわませて、掴み片を当該係止部の斜め上方に位置付ける。そしてマージン部近傍の保護フィルムの一部分を保護フィルム裏面の貼着再剥離性層によりタッチパネルの表面に貼付ける。次に掴み片を以降貼付ける方向であって、タッチパネルの表面に近い方向に順次移動することにより、保護フィルムの当該一部分から他方端部に向かい徐々にタッチパネルの表面に接触させて、予め塗布されている貼着再剥離性層により貼付けていく。保護フィルムの全領域がタッチパネルに貼付いたら、その後、補助フィルムを引き剥がす。このようにして、タッチパネルの表面に保護フィルムが貼付けられる。
【００１３】
本タッチパネル用保護フィルム積層体によれば、マージン部の先端が庇の下部の奥に存在する部材に当接すること、あるいは保護フィルムと補助フィルム重なり部分の厚さが庇の底面とタッチパネル表面の間隔よりも厚いために移動が制限されることにより、タッチパネルと保護フィルムの位置付けが容易化される。また、保護フィルムの端部から徐々に貼付けていくことが容易になるので、保護フィルム貼付け面に気泡が取り込まれる可能性が減少する。さらに、補助フィルムが掴み片を有するために、保護フィルムの貼付け面が汚れることを防止することができる。
【００１４】
本発明にかかるタッチパネル用保護フィルム積層体(1)の好ましい実施態様にあっては、前記マージン部(29)の幅(W1)が、前記縦辺Ａ(33)の幅(W3)よりも短くてもよい。
マージン部の幅が保護フィルムの縦の長さよりも短いので、マージン部を係止部に最初に位置付ける時点で、マージン部と係止部が不適正に位置付けられても、マージン部を取り付け部材の他の部分に接触させることなく適正な位置、角度に修正可能となる。よって、本実施態様にかかるタッチパネル用保護フィルム積層体は、保護フィルムの位置付けがいっそう容易となる効果がある。
【００１５】
本発明にかかるタッチパネル用保護フィルム積層体(1)の他の好ましい実施態様にあっては、前記保護フィルム(2)は、基材フィルム(26)の両面にハードコート層(24)(25)が形成されていてもよい。
従来の保護フィルムは、表面側だけにハードコート層が形成されていたため、表面がカールする傾向があった。本好ましい実施態様では両面にハードコート層を形成するので、保護フィルムの平面性がより保たれる。平面性に起因して、保護フィルムと補助フィルムの一体物をタッチパネル表面へ貼付ける時に気泡を取り込む程度が一層減少する効果がある。
【００１６】
本発明にかかるタッチパネル用保護フィルム積層体のその他の好ましい実施態様にあっては、前記補助フィルム(3)と前記保護フィルム(2)は、前記補助フィルム(3)の下面に形成された第２粘着剤層(27)により前記保護フィルム(2)に貼付けられ、前記保護フィルム(2)の下面に形成された前記貼着再剥離性層は第１粘着剤層(22)であってもよい。
本好ましい実施態様によれば、補助フィルムと保護フィルムは最も汎用される貼付け手段である粘着剤により貼付けられ、前記貼着再剥離性層もまた最も汎用される貼付け手段である粘着剤により貼付けられているので、タッチパネル用保護フィルムが容易、安価、手軽に作成できる。
【００１７】
もっとも本発明において、貼着再剥離性層を形成する材料は、粘着剤に限られず、例えば、自己粘着性樹脂であってもよい。同様に、補助フィルムと保護フィルムの貼付けは粘着剤を使用するものに限られず、例えば、自己粘着性樹脂を材料としてもよく、また、擬似接着による貼付けであってもよい。
【００１８】
本発明にかかるタッチパネル用保護フィルム積層体(1)のその他の好ましい実施態様にあっては、前記セパレータフィルム(21)と前記保護フィルム(2)間の貼着の初期強度（Ｐ）、前記保護フィルム(2)と前記補助フィルム(3)間の貼着の初期強度（Ｑ）、前記保護フィルム(2)をタッチパネル(12)の表面に貼着した場合の前記保護フィルム(2)と前記タッチパネル表面間の貼着の初期強度（Ｒ）が以下の式（１）を満足するものであってもよい。
Ｐ＜Ｑ＜Ｒ      （１）
本実施態様によれば、貼付け作業の最初の工程であるセパレータフィルムの剥離と、最後の工程である保護フィルムの表面から補助フィルムのみを剥がす作業が一層容易となる。同様に剥がす際に貼付け済みの保護フィルムが剥離されることが少なくなる。
【００１９】
本発明の他の態様にかかるタッチパネルに保護フィルムを貼付ける方法は、筐体(41)に形成された直方体形状空間(42)に矩形のタッチパネル(12)の４周辺が嵌め込まれ、かつ、前記直方体形状空間(42)が作る少なくとも１辺の上には前記筐体(41)から延びる庇(47)が形成されており、前記筐体(41)に前記タッチパネル(12)が実装された装置に、保護フィルム(2)を貼付ける方法であって、以下の工程からなる。
イ  本発明にかかるタッチパネル用保護フィルム積層体(1)を準備する工程
ロ  前記タッチパネル用保護フィルム積層体(1)からセパレータフィルム(21)を取り除く工程
ハ  前記マージン部(29)を前記庇(47)の下部に挿入し、前記保護フィルム(2)と前記補助フィルム(3)の一体物を前記タッチパネル(12)に位置決めする工程
ニ  前記保護フィルム(2)と前記補助フィルム(3)の一体物を前記タッチパネル(12)の表面に貼付ける工程
ホ  前記保護フィルム(2)と前記補助フィルム(3)の一体物が貼付けられた前記タッチパネル(12)の表面から、前記補助フィルム(3)を取り除く工程
本発明において、庇(47)の下部に挿入されたマージン部の先端は、庇取り付け壁やクッション材の周側面に当接する。これにより保護フィルムと補助フィルムの一体物上の保護フィルムが、タッチパネルの適切な位置に位置付けられる。
【００２０】
本発明のその他の態様にかかるタッチパネルに保護フィルムを貼付ける方法は、筐体(41)に形成された直方体形状空間(42)に矩形のタッチパネル(12)の４周辺が嵌め込まれ、かつ、前記直方体形状空間(42)が作る少なくとも１辺の上には前記筐体(41)から延びる庇(47)が形成され、前記庇(47)の底面と前記タッチパネル(12)表面の間隔(H )が、前記補助フィルム(3)の厚さを越え、かつ、前記補助フィルム(3)と前記保護フィルム(2)の重なり部分の厚さ(D)未満である構造を有する前記タッチパネル(12)が実装された装置に、前記保護フィルム(2)を貼付ける方法であって、以下の工程からなる。
イ  本発明にかかるタッチパネル用保護フィルム積層体(1)を準備する工程
ロ  前記タッチパネル用保護フィルム積層体(1)からセパレータフィルム(21)を取り除く工程
ハ  前記マージン部(29)を先頭にして、前記保護フィルム(2)と前記補助フィルム(3)の一体物を前記庇(47)の底面と前記タッチパネル(12)表面の間隔部分に入れ、前記庇(47)の底面と前記タッチパネル(12)表面の間隔により前記一体物が停止する位置まで前記一体物を押し入れ、前記一体物を前記筐体(41)に位置決めする工程
ニ  前記保護フィルム(2)と前記補助フィルム(3)の一体物を前記タッチパネル(12)の表面に貼付ける工程
ホ  前記保護フィルム(2)と前記補助フィルム(3)の一体物が貼付けられた前記タッチパネル(12)の表面から、前記補助フィルム(3)を取り除く工程
【００２１】
本発明の他の態様にかかるタッチパネル装置は、筐体(41)に形成された直方体形状空間(42)に矩形のタッチパネル(12)の４周辺が嵌め込まれ、かつ、前記直方体形状空間(42)が作る少なくとも１辺の上には前記筐体(41)から延びる庇(47)が形成され、前記筐体(41)に前記タッチパネル(12)が実装された装置に、本発明にかかるタッチパネル用保護フィルム積層体(1)からセパレータフィルム(21)を取り除き、前記マージン部(29)を前記庇(47)の下部に挿入し、前記保護フィルム(2)と前記補助フィルム(3)の一体物を前記タッチパネル(12)に位置決めした状態で、前記タッチパネル(12)の表面に、前記保護フィルム(2)と前記補助フィルム(3)の一体物が貼付けられている。
本タッチパネル装置は、補助フィルムを取り除くのみで、好適な保護フィルムが貼付けられたタッチパネル装置となる。
【００２２】
本発明の他の態様にかかるタッチパネル装置は、筐体(41)に形成された直方体形状空間(42)に矩形のタッチパネル(12)の４周辺が嵌め込まれ、かつ、前記直方体形状空間(42)が作る少なくとも１辺の上には前記筐体(41)から延びる庇(47)が形成され、前記庇(47)の底面と前記タッチパネル(12)表面の間隔(H)が、前記補助フィルム(3)の厚さを越え、かつ、前記補助フィルム(3)と前記保護フィルム(2)の重なり部分の厚さ(D)未満である構造を有する前記タッチパネル(12)が実装された装置に、本発明にかかるタッチパネル用保護フィルム積層体(1)からセパレータフィルム(21)を取り除き、前記マージン部(29)を先頭にして、前記保護フィルム(2)と前記補助フィルム(3)の一体物を前記庇(47)の底面と前記タッチパネル(12)表面の間隔部分に入れ、前記庇(47)の底面と前記タッチパネル(12)表面の間隔により前記一体物が停止する位置まで前記一体物を押し入れた状態で、前記タッチパネル(12)の表面に、前記保護フィルム(2)と前記補助フィルム(3)の一体物が貼付けられている。
本タッチパネル装置は、補助フィルムを取り除くのみで、好適な保護フィルムが貼付けられたタッチパネル装置となる。
【００２３】
以上説明した本発明の一の態様、本発明の好ましい実施態様、これらに含まれる構成要素は可能な限り組み合わせて実施することができる。
【発明の効果】
【００２４】
本発明にかかるタッチパネル用保護フィルム積層体は、位置決めと気泡の取り込み防止が効果的に行われ、また、補助フィルムに掴み片をも有し、使用直前までセパレータフィルムに覆われているので、一般のユーザが保護フィルム貼付け面を汚すことなく、適正にタッチパネル表面に貼付けることが可能となる効果を有する。
【００２５】
本発明にかかるタッチパネルに保護フィルムを貼付けるそれぞれの方法によれば、位置決めが容易で、また、貼付けが容易な保護フィルムの貼付け方法が提供される。
本発明にかかるそれぞれのタッチパネル装置は、補助フィルムを取り除くという簡単かつ単純な操作のみで、好適な保護フィルムが貼付けられたタッチパネル装置が得られる。
【発明を実施するための最良の形態】
【００２６】
以下に図面を参照して、本発明にかかるタッチパネル用保護フィルム積層体、タッチパネルへのタッチパネル用保護フィルムの貼付け方法、タッチパネル用保護フィルムが貼付けられたタッチパネル装置をさらに説明する。この発明の実施例に記載されている部材や部分の寸法、材質、形状、その相対位置などは、とくに特定的な記載のない限りは、この発明の範囲をそれらのみに限定する趣旨のものではなく、単なる説明例にすぎない。
【００２７】
図１は保護フィルムを貼付けたタッチパネルを有するＰＤＡ（パーソナル・デジタル・アシスタント）５の一部切り欠き斜視図である。
ＰＤＡ５の表示、入力部は、液晶ディスプレイ１１の上に透明のタッチパネル１２が積層されている。タッチパネル１２の表面に保護フィルム２が貼付けられている。専用入力ペン６により一定領域上の保護フィルム２を押圧すると、その圧力はタッチパネル１２に伝わり、タッチパネル動作回路（図示せず）により押圧の有無とその位置が検出される。
【００２８】
図２（ａ）はタッチパネル用保護フィルム積層体１を説明する断面図であり、図２（ｂ）はタッチパネル用保護フィルム積層体１を説明する平面図である。図３は保護フィルム２と補助フィルム３の積層状態と形状を説明する分離説明図である。
図２（ａ）を参照して、タッチパネル用保護フィルム積層体１はセパレータフィルム２１の一方表面に第１粘着剤層２２があり、第１粘着剤層２２の上に保護フィルム２を積層している。第１粘着剤層２２は、貼着再剥離性層である。保護フィルム２の上に第２粘着剤層２７があり、第２粘着剤層２７の上に補助フィルム３を積層している。
【００２９】
図３を参照して保護フィルム２は矩形である。保護フィルム２は、一対の対辺である横辺Ａ３１、横辺Ｂ３２と、他の一対の対辺である縦辺Ａ３３、縦辺Ｂ３４を有する。タッチパネル用保護フィルム積層体１においては、保護フィルムの横辺Ａ３１と補助フィルムの辺の一部１８が一致している。また、保護フィルムの横辺Ｂ３２と補助フィルムの辺の一部１９が一致している。
紙面横方向に関して、補助フィルム３は保護フィルムの一対の対辺である縦辺Ａ３３、縦辺Ｂ３４よりも横にはみ出している。縦辺Ａ３３よりも外にはみ出している部分はマージン部２９である。マージン部の先端４０の幅（線分Ｗ１で示す）は、保護フィルムの紙面縦方向の幅（線分Ｗ３で示す）よりも狭くなっている。
【００３０】
このようにマージン部の幅を狭くすると、マージン部を係止部に最初に位置付ける時点で、マージン部と係止部が不適正に位置付けられても、マージン部を取り付け部材の他の部分に接触させることなく適正な位置、角度に修正可能となる。よって、保護フィルムの位置付けがいっそう容易となる効果がある。
【００３１】
マージン部の幅を小さくするには、図示するように、マージン部２９の２箇所の隅である切欠き部３８、３９を四角形に切り取ってもよく、あるいは斜線で切り取り、切欠き部を三角形の形状にしてもよい。また、上の切欠き部３８、または下の切欠き部３９のみを切り取ってもよい。位置決めの修正が容易となる観点から、２箇所を切り取ることが好ましい。同様の理由で、切欠き部を四角形に切り取ることが好ましい。
マージン部の縦辺Ａ３３よりも外にはみ出す長さは、タッチパネル装置筐体４１の庇の長さに依存するが、一般には、２ｍｍ〜４ｍｍである。
【００３２】
補助フィルム３はまた、保護フィルムの縦辺Ｂ３４よりも外にはみ出している。縦辺Ｂ３４よりも外にはみ出している部分は掴み片３０である。掴み片３０の幅（線分Ｗ２で示す）は、保護フィルムの紙面縦方向の幅（線分Ｗ３で示す）よりも狭くなっている。このように掴み片の幅を狭くすると、庇が四周に形成されている筐体に保持されたタッチパネル上に、保護フィルムを貼付ける場合であっても、掴み片が庇に接触しないので保護フィルムの貼付けが容易となり、好ましい。
【００３３】
掴み片３０の幅に関しても、上述のマージン部の幅と同様であり、保護フィルムよりも幅が狭くなっている。掴み片３０の幅を狭くするには、図示するように、掴み片３０の２箇所の隅である切欠き部を四角形に切り取ってもよく、あるいは斜線で切り取り、切欠き部を三角形の形状にしてもよい。また、上の切欠き部、または下の切欠き部のみを切り取ってもよい。掴み片が横方向に延びる庇に接触しない観点から、２箇所を切り取ることが好ましい。同様の理由で、切欠き部を四角形に切り取ることが好ましい。
掴み片３０の縦辺Ｂ３４よりも外にはみ出す長さは、指で掴むことに適度な長さであればよい。具体例を挙げれば、長さの下限は５ｍｍ以上が好ましく、より好ましくは１０ｍｍ以上である。長さの上限は、５０ｍｍ以下が好ましく、より好ましくは２０ｍｍ以下である。
【００３４】
保護フィルム２の横辺と縦辺は、本発明の説明と理解の容易化のために定めたものであり、どちらかが長い短いの関係にあるものではない。保護フィルムが方形の場合には、長辺を横辺と定めても良く、短辺を横辺と定めても良い。貼付け時に保護フィルムと補助フィルムの一体物を撓めた状態で端から徐々に貼付けて行くことから、保護フィルムの長辺を横辺と定めるほうが好ましい。保護フィルムが正方形の場合には、任意の一対の辺を横辺に定めればよい。
【００３５】
保護フィルムは矩形であり、通常は長方形である。これはタッチパネルの外形が通常長方形だからである。タッチパネルの外形が例えば略長方形の場合には、保護フィルムも略長方形であってもよい。略長方形とは四隅が丸く切り取られた長方形、辺が内外に広がった長方形などを意味する。その他本発明の趣旨を損なうことなくタッチパネルの形状に合わせた形状の保護フィルムを用いるタッチパネル用保護フィルム積層体を実施することができる。
【００３６】
図２（ａ）を参照して、保護フィルムは基材フィルム２６の両面にハードコート層２４、２５を形成したものである。基材フィルムは、ＰＥＴ（ポリエチレンテレフタレート）、ＰＣ（ポリカーボネート）、ＰＥＳ（ポリエーテルサルフォン）等からなる基材フィルムが使用できる。基材フィルムは通常無色透明であるが、有色透明であってもよい。基材フィルム２６の両面に、多官能アクリレート系（ポリエステルアクリレート、ウレタンアクリレート、エポキシアクリレート）やポリシロキサン系などからなるハードコート樹脂を溶剤にてインキ化したものを例えばロールコータでコーティングし、その後、加熱あるいは紫外線照射などによってハードコート樹脂層を硬化させ、ハードコート層２４、２５を形成することができる。保護フィルム２にカールが発生するのを極力防ぐために、両面の材料、膜厚及び硬化方法は同じにしておくことが好ましい。保護フィルムの厚さの一例は１５０μｍである。また、保護フィルムの大きさの一例は６０ｍｍ×４０ｍｍである。
【００３７】
貼着再剥離性層は、被着物への貼着と、一旦貼着後に剥離が可能な層をいう。貼着再剥離性層を形成する材料としては、粘着剤、自己粘着性樹脂などを挙げることができる。安価である観点より、粘着剤が好ましい。自己粘着性樹脂とは、自着性樹脂とも呼ばれるものであり、自己密着性、表面弱粘着性を有する柔軟な樹脂を意味している。自己粘着性樹脂としては、ポリオレフィンエラストマー、ポリエチレンエラストマー、ポリウレタンエラストマー、シリコン樹脂、ブチルゴム、軟質ポリ塩化ビニル、フッ素系樹脂等が挙げられる。
【００３８】
第１粘着剤層２２は、保護フィルム２のハードコート層２５の表面に、アクリル系、シリコン系、ウレタン系などからなる粘着剤を直接コーティングあるいは、予め、コーティングされたものを転写加工して、形成する。このようにすることにより、第１粘着剤層は保護フィルム２のハードコート層の表面に密着する。したがって、タッチパネル表面から保護フィルム２を剥離する場合に、タッチパネルの表面に粘着剤が残ることが少なくなる。粘着剤としては、タッチパネルへの貼付け性、交換時の再剥離性を考慮して、自己粘着性に優れたものが好ましく、たとえば、シリコン系やウレタン系のゴムシート状で表面性が平滑なものが好ましい。
【００３９】
第１粘着剤層２２の表面には、離型処理が施されたセパレータフィルム２１を貼付ける。セパレータフィルムは、公知の剥離紙、剥離フィルムが使用でき、例えば、シリコン離型剤が塗布されたＰＥＴセパレータを使用できる。
第１粘着剤層の粘着力は、例えば、０．２〜４．０Ｎ／ｃｍ（９０度ピール試験）である。
【００４０】
補助フィルム３は、ＰＥＴ（ポリエチレンテレフタレート）、ＰＣ（ポリカーボネート）、ＰＥＳ（ポリエーテルサルフォン）等を材料とするフィルムである。貼付け時に、庇とタッチパネルの隙間に挿入する為に、補助フィルム３の厚さは当該隙間の厚さに依存する。通常補助フィルム３の厚さは、２５μｍ以上１２５μｍ以下である。この厚さを満足し、かつ、可撓性と一定のフィルム強度の腰（適度な剛性）があることが好ましいため、ＰＥＴ（ポリエチレンテレフタレート）を材料とするフィルムが好ましい。ＰＥＴフィルムの場合に、好ましい厚さの一例は５０〜１００μｍである。
補助フィルムに可撓性と適度な剛性が求められる理由は、位置決め時の操作の容易性と、貼付け時に撓めながら貼付け操作の容易性のためである。
【００４１】
補助フィルム３の一面の全面に、アクリル酸エステルを主成分とする微粘着剤をロールコータでコーティングし、乾燥させ、第２粘着剤層を形成する。このようにすることにより、粘着剤は補助フィルムに密着する。従って、後に保護フィルムから補助フィルムを剥離する場合に保護フィルム表面に粘着剤が残ることが少なくなる。この後、第２粘着層付きの補助フィルムをセパレータフィルム２１と保護フィルム２の積層体に貼付ける。このとき、マージン部２９と掴み片３０は、セパレータフィルムの剥離面に貼り付く。
【００４２】
マージン部２９と掴み片３０の片面は、以上のように第２粘着剤層が形成されていてもよい。また、マージン部２９と掴み片３０の当該片面は粘着剤層がなくてもよい。粘着剤層が無い場合には、当該部分はセパレータフィルムに貼付かないが、補助フィルムは保護フィルムと対面する領域で貼付いており、実用上差し支えない。さらに、マージン部２９と掴み片３０の片面に第２粘着剤層が形成されていても、位置決め、貼付け操作などは、実用上阻害されない。また、補助フィルムに第２粘着剤層を全面に形成可能であり、製造上の観点からは、マージン部２９と掴み片３０の片面にも第２粘着剤層が形成されているほうが好ましい。
【００４３】
続いて、タッチパネル用保護フィルム積層体の製造方法を説明する。
【００４４】
（工程１）セパレータフィルム上に保護フィルムの材料シートを積層する工程
長尺帯状のシートである、保護フィルムの材料シートにアクリレート樹脂などの溶液を塗布して、広範囲に第１粘着剤層を形成する。この保護フィルムの材料シートは、基材フィルムの両面にハードコート層を形成したものでもよい。予め準備した、長尺帯状のセパレータフィルムに、第１粘着剤層を介在して保護フィルムの材料シートを貼合わせる。第１粘着剤（層）としては、粘着剤溶液に替えて、熱接着剤を用いることができ、また、両面粘着フィルムを使用することができる。両面粘着フィルムを使用する場合には、片面の粘着面に剥離フィルムが存在する状態でセパレータフィルムに貼合わせをし、その後に剥離フィルムを剥がせば、貼合わせ作業を容易に行うことができる。
【００４５】
（工程２）保護フィルムの材料シートの切り込み工程
セパレータフィルム上の、保護フィルムの材料シートに矩形の切り込みを入れる。切り込み加工は、通常のパンチ加工、切り込み加工などで行う。加工刃の形状を矩形にして、一回の切り込み加工で矩形の形状に切り込んでもよく、直線形状の加工刃を使用して２回以上の切り込み工程を組み合わせて矩形の切り込み線を形成してもよい。切り込み線は、保護フィルムの材料シートを貫通させるが、セパレータフィルムは切り込まない。
【００４６】
（工程３）保護フィルムの材料シートの取り除き工程
保護フィルムの材料シートのうちで、矩形の切り込み線よりも外側部分をセパレータフィルム上から取り除く。その結果、セパレータ表面に、矩形の形状に切り取られた保護フィルムが貼付いた状態で残る。
【００４７】
（工程４）補助フィルムの材料シートの貼着工程
長尺帯状の補助フィルムの材料シートにアクリレート樹脂などの溶液を塗布して、広範囲に第２粘着剤層を形成する。この補助フィルムの材料シートを、工程３で製造した、セパレータフィルムと保護フィルムの積層物上に、第２粘着剤層を介在して貼付ける。
【００４８】
（工程５）補助フィルムの材料シートの切り込み工程
工程４で製造した積層物の補助フィルムの材料シートに、補助フィルムの形状に対応する切り込み線加工を行う。切り込み加工は工程２で説明した加工と同様である。この結果、補助フィルムの材料シートは、一本の閉曲線である補助フィルムの形状に対応する切り込み線で分割される。
【００４９】
（工程６）補助フィルムの材料シートの取り除き工程
補助フィルムの材料シートのうちで、切り込み線よりも外側部分をセパレータフィルム上から取り除く。セパレータフィルムの表面には、個別に分離された保護フィルムと補助フィルムの一体物が、断続的に配置された状態になる。
【００５０】
（工程７）タッチパネル用保護フィルム積層体の切り離し工程
工程６で製造された連続した帯状物の所定位置で、セパレータフィルムを切断し、個別に切離してタッチパネル用保護フィルム積層体(1)を得る。
以上説明したタッチパネル用保護フィルム積層体の製造方法は、一例であり、他の製造方法で製造したタッチパネル用保護フィルム積層体もまた、本発明の範囲に含まれる。
【００５１】
次にタッチパネルが実装される筐体について説明する。図４は筐体の一部断面斜視図であり、図５はタッチパネル装置を説明する断面図である。
筐体４１は直方体形状空間４２を有し、この空間にタッチパネルが実装される。直方体形状空間４２の四周囲は側壁４３に取り囲まれている。側壁４３には溝４４が刻まれている。溝４４にタッチパネル１２の外周が挟み込まれる。筐体４１とタッチパネル１２は液晶ディスプレイ１１に積層されている。
【００５２】
タッチパネル１２は、固定電極１５の上にスペーサ１４を介して可動電極１３が積層されている。１６は、スペーサと電極固定の役目を担う両面テープである。タッチパネル１２は、その輪郭線５１と、溝４４の上面５２と下面５３で筐体４１に挟まれ固定されている。
【００５３】
ところで、タッチパネルの周辺近傍は力に弱い部分であり、入力の押圧をかけると、可動電極側に過度の曲げストレスがかかり、透明導電膜にクラックが生じ、タッチパネルの動作不良につながる。そこで、有効操作領域（線分５４で示す）は、輪郭線から一定距離離れた内側に設定されている。このため、ユーザが有効操作領域以外に触れないように、輪郭線から有効操作領域の輪郭線近傍までを覆う庇４７が筐体に取り付けられている。庇４７の先端部は有効操作領域の端にほぼ等しい。庇４７はまた、タッチパネルの輪郭線近傍にある回路などの構造物を目隠しする役割も担っている。なお、線分５６はタッチパネルの可視領域を示している。
【００５４】
４８は庇取り付け壁である。
【００５５】
次に、タッチパネル用保護フィルム積層体の貼付け方法を説明する。
図６は保護フィルム２と補助フィルム３の一体物をタッチパネル表面に位置付ける工程を説明するための図であり、図７は保護フィルム２と補助フィルム３の一体物を端部から徐々に、タッチパネル表面に貼付ける工程を説明するための図である。
【００５６】
まず、タッチパネル用保護フィルム積層体１からセパレータフィルム２１を取り除く。補助フィルム３の掴み片３０を保持して、図６に示すように、マージン部２９の先端４０を庇取り付け壁４８に押付け、保護フィルム２と補助フィルム３の一体物をタッチパネル表面の適切な位置に位置付ける。
マージン部のはみ出し長さは、庇取り付け壁４８にマージン部の先端４０を当接させた場合に、保護フィルムがタッチパネル表面の適切な位置になるように予め定められている。
【００５７】
補助フィルム３は適度な可撓性を有しており、保護フィルム２と補助フィルム３の一体物を撓ませているので、この段階では第１粘着剤層は未だタッチパネル表面に貼付いていない。また、マージン部２９に第２粘着剤層がある場合であっても、第２粘着剤層は弱粘着層であり、貼り付いても容易に剥がれる。さらに、マージン部２９は保護フィルムよりも幅狭く形成されているので、マージン部を筐体の他の部分に接触させることなく微小な位置の修正が可能となっている。もし、適切に位置付けられない場合には、保護フィルム２と補助フィルム３の積層体を前後左右に動かして、適切な位置になるまで位置付けを行うことができる。
【００５８】
次に、掴み片３０を保持しながら掴み片３０を矢印αの方向に移動し、タッチパネルの表面と第１粘着剤層を徐々に接触させる。このようにして、掴み片３０の矢印α方向への移動に伴い、気泡を取り込むことなく、保護フィルム２と補助フィルム３の一体物をタッチパネル表面に貼付けることができる。
【００５９】
保護フィルムが全て貼付いたら、保護フィルムをタッチパネル表面に残して、補助フィルムを取り除く。この場合にも、掴み片３０を持ち替えることなくそのまま行うことができて便利である。
【００６０】
さらに、セパレータフィルムと保護フィルム間の貼着の初期強度（Ｐ）、保護フィルムと補助フィルム間の貼着の初期強度（Ｑ）、保護フィルムとタッチパネル表面間の貼着の初期強度（Ｒ）が以下の式（１）を満足する。
Ｐ＜Ｑ＜Ｒ      （１）
よって、貼付け作業の最初の工程であるセパレータフィルムの剥離と、最後の工程である保護フィルムの表面から補助フィルムのみを剥がす作業が一層容易となる。同様に剥がす際に貼付け済みの保護フィルムが剥離されることが少なくなる。
【００６１】
図８は、他の形状にかかる筐体４１ａを使用するタッチパネル装置を説明する断面図である。図中で、図５で説明した筐体４１と同一部材には同一の符号を付している。
筐体４１ａは、庇４７ａの下部奥に、クッション材４９を有する。また、タッチパネル１２は粘着テープ５０により、ディスプレイ１１の表面と固定されている。
【００６２】
この形状にかかる筐体４１ａを有するタッチパネルが実装された装置のタッチパネル表面に、保護フィルム２と補助フィルム３の一体物を貼り付ける方法は以下のとおりである。
まず、タッチパネル用保護フィルム積層体１からセパレータフィルム２１を取り除く。補助フィルム３の掴み片３０を保持して、マージン部２９の先端４０を、庇４７ａの下部に挿入する。マージン部２９の先端４０が、クッション材４９の側端面に当接して、保護フィルム２と補助フィルム３の一体物がタッチパネル表面の適切な位置に位置付けられる。
【００６３】
マージン部のはみ出し長さは、クッション材４９の側端面にマージン部の先端４０を当接させた場合に、保護フィルムがタッチパネル表面の適切な位置になるように予め定められている。
その後の保護フィルムの貼付け、補助フィルムの剥離工程は、筐体４１に基づき説明したと同様である。
【００６４】
次に、他の実施例にかかる保護フィルムの貼付け方法を説明する。
図９は、保護フィルム２と補助フィルム３の一体物をタッチパネル表面に位置付ける他の実施例にかかる工程を説明するための図である。
庇の底面とタッチパネル表面間の間隔をＨで示している。当該間隔Ｈは補助フィルム２の厚さを超える厚さである。また、当該間隔Ｈは保護フィルム２と補助フィルム３の重なり部分の厚さＤよりも薄い。
【００６５】
まず、タッチパネル用保護フィルム積層体１からセパレータフィルム２１を取り除く。図９に示すように、補助フィルム３の掴み片３０を保持して、マージン部２９を庇の底面とタッチパネルの表面間の間隔に挿入する。補助フィルムのみ（あるいは補助フィルムと第２粘着剤層）からなるマージン部２９は、当該間隔に入ることができる。しかし、保護フィルム２と補助フィルム３の重なり部分は、当該間隔の薄い厚み妨げられ、入ることが出来ない。よって、補助フィルムと一体物となっている保護フィルムは、保護フィルムの一辺が、庇４７の先端部直下の位置に位置付けられることになる。ここで、マージン部のはみ出し長さは、庇先端から庇取り付け壁までの距離未満となるように予め定めておく。
その後の貼付け工程、補助フィルムのみの剥離工程は、既に説明した工程と同じである。
【００６６】
ここで説明した、厚さに起因した移動制限による位置付けは、図８で説明した他の形状にかかる筐体４１ａを有するタッチパネルが実装された装置であっても同様に実施することができる。
【産業上の利用可能性】
【００６７】
本発明にかかるタッチパネル用保護フィルム積層体と、タッチパネル保護フィルムを貼付ける方法は例えば、コードレス電話機、携帯電話機、電卓、サブノートパソコン、ＰＤＡ、デジタルカメラ、ビデオカメラ、ゲーム機、業務用通信機器などのタッチパネルの保護フィルムと、その貼付け方法として利用され得る。
【図面の簡単な説明】
【００６８】
【図１】保護フィルムを貼付けたタッチパネルを有するＰＤＡ（パーソナル・デジタル・アシスタント）の一部切り欠き斜視図である。
【図２】（ａ）はタッチパネル用保護フィルム積層体１を説明する断面図であり、（ｂ）はタッチパネル用保護フィルム積層体１を説明する平面図である。
【図３】保護フィルムと補助フィルムの積層状態と形状を説明する分離説明図である。
【図４】筐体の一部断面斜視図である。
【図５】タッチパネル装置の断面図である。
【００６９】
【図６】保護フィルムと補助フィルムの一体物をタッチパネル表面に位置付ける工程を説明するための図である。
【図７】保護フィルムと補助フィルムの一体物を端部から徐々に、タッチパネル表面に貼付ける工程を説明するための図である。
【図８】他の形状にかかる筐体を使用するタッチパネル装置を説明する断面図である。
【図９】保護フィルムと補助フィルムの一体物をタッチパネル表面に位置付ける他の実施例にかかる工程を説明するための図である。
【符号の説明】
【００７０】
１    タッチパネル用保護フィルム積層体
２    保護フィルム
３    補助フィルム
１１  ディスプレイ
１２  タッチパネル
１２ｓ  タッチパネル表面
２１  セパレータフィルム
２２  （貼着再剥離性層である）第１粘着剤層
２４、２５  ハードコート層
２６  基材フィルム
２７  第２粘着剤層
２９  マージン部
３０  掴み片
【００７１】
３１  横辺Ａ
３２  横辺Ｂ
３３  縦辺Ａ
３４  縦辺Ｂ
３８、３９  切欠き部
４０  マージン部の先端
４１、４１ａ  筐体
４２  直方体形状空間
４３  側壁
４４  溝
４７、４７ａ  庇
４８  庇取り付け壁
４９  クッション材
【図１】
2006155452.tif 000003
【図２】
2006155452.tif 000004
【図３】
2006155452.tif 000005
【図４】
2006155452.tif 000006
【図５】
2006155452.tif 000007
【図６】
2006155452.tif 000008
【図７】
2006155452.tif 000009
【図８】
2006155452.tif 000010
【図９】
2006155452.tif 000011